(57)【要約】この出願は底部容器部（２０）、上部蓋（３０）、及び挿入体（４０）を持つ平坦な箱（１０）であって、この挿入体（４０）が箱（１０）が開かれるとき包装内容物を上昇させる役目をするものに関する。蓋（３０）と容器部（２０）は箱（１０）の後部周壁を介して互いに連結されている。挿入体（４０）は後部蓋周壁の内側に連結され、容器部（２０）中に延び、従って挿入体（４０）及びその上に置かれた包装内容物は箱（１０）が開かれるとき自動的に上昇させられる。【選択図】図６
2004528051.tif 000002
【特許請求の範囲】
【請求項１】
箱（１０）であって、それがベース壁（２１）と前部（２４）、後部（２８）、右側（２２）及び左側（２６）の容器部周壁とを持つ底部容器部（２０）、蓋壁（３１）と前部（３４）、後部（３８）、右側（３２）及び左側（３６）の蓋周壁とを持つ上部蓋（３０）、及び容器部（２０）中に延び箱（１０）が開かれるとき包装内容物を上昇させる役目をする蓋（３０）内に固定された挿入体（４０）を持ち、周壁の長さがそれらの高さの多数倍であり、容器部（２０）と蓋（３０）がそれらの後部周壁に沿って互いにヒンジ連結されているものにおいて、容器部（２０）と蓋（３０）が後部容器部周壁（２８）と後部蓋周壁（３８）を介して互いにヒンジ連結されていること、及び挿入体（４０）が後部蓋周壁（３８）の内側に連結されているが容器部（２０）には連結されていないことを特徴とする箱（１０）。
【請求項２】
挿入体（４０）がベース領域（４２）と周壁領域（４４）を持つことを特徴とする請求項１に記載の箱（１０）。
【請求項３】
箱が閉じられるとき、挿入体（４０）のベース領域（４２）が前部容器部周壁（２４）近くまで延び、本質的に全ベース壁（２１）に渡って延びることを特徴とする請求項２に記載の箱（１０）。
【請求項４】
後部容器部周壁（２８）の高さが後部蓋周壁（３８）の高さに等しいことを特徴とする請求項１から３の一つに記載の箱（１０）。
【請求項５】
前部（５４）と右側（５２）と左側（５６）のカラー周壁を持つカラー（５０）が前部、左側及び右側の容器部周壁（２４，２６，２２）の内側に取り付けられていることを特徴とする請求項１から４の一つに記載の箱（１０）。
【請求項６】
カラー（５０）が前部、左側及び右側の容器部周壁（２４，２６，２２）を越えて、好ましくは前部、左側及び右側の蓋周壁（３４，３６，３２）の高さだけ突出することを特徴とする請求項５に記載の箱（１０）。
【請求項７】
突起が前部カラー周壁（５４）上に設けられ、これに対応して、凹所が前部蓋周壁（３４）の内側に設けられていることを特徴とする請求項６に記載の箱（１０）。
【請求項８】
さらに製品収容箱（６０）を持つことを特徴とする請求項１から７の一つに記載の箱（１０）。
【請求項９】
製品収容箱（６０）がその上部側に凹所を持つことを特徴とする請求項８に記載の箱（１０）。
【請求項１０】
製品収容箱（６０）が前部カラー周壁（５４）の内側にまたは前部容器部周壁（２４）の内側に連結されていることを特徴とする請求項８または９の一つに記載の箱（１０）。
【請求項１１】
さらに喫煙可能物品を含むことを特徴とする請求項１から１０の一つに記載の箱（１０）。
【請求項１２】
喫煙可能物品がインナーライナー中に包まれていることを特徴とする請求項１１に記載の箱（１０）。
【発明の詳細な説明】
【０００１】
本発明はベース壁と前部、後部及び側部容器部周壁とを持つ底部容器部と、蓋壁と前部、後部及び側部蓋周壁を持つ上部蓋と、蓋に固定され容器部中に延びる挿入体とを持つ箱に関する。この箱が開かれると、好ましくは紙巻たばこ、葉巻たばこまたは小型葉巻たばこのような喫煙可能な物品である包装内容物が挿入体により上昇させられ、従ってそれらは使用者のために取り出すのが容易である。
【０００２】
このような箱は例えばＤＥ  ２９６１９９９０  Ｕ１から既知であり、それは挿入体が蓋の内側に固定されている箱を記載する。この挿入体はＺ形折りたたみ部を持ち、それは開くと離れるように引張られ、これが包装内容物を直立させる。従ってＤＥ  ２９６１９９９０  Ｕ１の設計全体は複雑である。更に、Ｚ形折りたたみ部はねじれにも導き、そのとき箱は再び閉じるのが困難であるという結果をもたらす。
【０００３】
このような箱は同様にＣＨ  ２１９０３３、ＣＨ  １９７７４７及びＧＢ  ３４９９７０から既知であり、そこでは挿入体は一辺を後部蓋周壁の内側に他辺をベース壁及び／または前部容器部周壁に連結されている。挿入体は蓋と容器部の両方に連結されているので、開き運動により作られる張力を補償することを可能とするためにそれは弾力性であらねばならない。この張力のため、これらの箱はまた、蓋が離されるや否やそれは略自動的に再び閉じる傾向を示す。従ってこれらの箱は一般的に両手で取り扱われなければならず、箱は一方の手で開かれ、例えば紙巻たばこのような包装内容物は他方の手で取り出されねばならない。
【０００４】
インナーライナー中に包まれた紙巻たばこを持つ平坦な箱はＵＳ  ４７６３７７９（またはＤＥ  ３３２９４５４  Ａ１）から既知である。ＵＳ  ４７６３７７９の図６によれば、包装内容物はインナーライナーを引張ることにより上昇させられることができる。従って紙巻たばこは開かれるとき自動的に上昇せず、手動で上昇させられ、いずれにしても使用者は両手を必要とし、そうでなければ包装内容物は包装体から取り出されることができない。
【０００５】
最後に、容器部と蓋を持つフリップトップ箱はＣＨ  ２３７８９８から既知であるが、それは挿入体を持たない。
【０００６】
従って本発明の目的はより簡単な設計で上述の形式の箱を利用可能とすることである。
【０００７】
この目的を達成するために、容器と蓋は後部容器部周壁と後部蓋周壁を介して互いにヒンジ連結され、挿入体は後部蓋周壁の内側に連結されるが、容器部、例えばそのベース壁及び／または前部容器部周壁には連結されない。これはまず箱が極めて少ない材料でかつ全く簡単に製造されることができるという利点を持つ。更に、箱を開閉するときねじれが発生しないので取り扱いもより簡単である。
【０００８】
挿入体は一つまたはそれ以上の平行な狭いストリップを含むことができる。しかし、挿入体の形状は好ましくは箱のベース壁に適合され、それは箱が閉じられるとき、挿入体が前部容器部周壁近くまでかつ本質的に全ベース壁に渡って延びるという結果を持つ。これによって箱が開かれるとき上昇させられる全包装内容物が挿入体上に載るということが有利に達成される。
【０００９】
挿入体は二つの領域、すなわち大きなベース領域と小さな周壁領域に分割されることができ、それらは折りたたみ線またはノッチラインを介して互いに分離される。箱が閉じられるとき、挿入体のベース領域は容器部のベース壁上に載り、このベース壁の上に部分的にまたは好ましくは殆ど完全に延びる。挿入体は小さな周壁領域を介して後部蓋周壁の内側に連結される。箱が閉じられるとき、挿入体の小さな周壁領域は従って後部蓋周壁及び後部容器部周壁に平行に延び、折りたたみ線またはノッチラインは本質的に後部容器部周壁と容器部ベース壁との間の線に対して載る。箱が開かれるとき、後部蓋周壁が動くので、それに連結された周壁領域、従って挿入体のベース領域が対応的に引っ張られ、挿入体の周壁領域の上縁は１８０°だけ回転される。折りたたみ線またはノッチラインは挿入体の周壁領域の高さだけ上昇させられる。包装内容物は挿入体の上に載っているので、開かれるとそれらは挿入体と一緒に上昇させられる。開かれた位置では挿入体の周壁領域は従って本質的に後部蓋周壁に平行な折りたたみ線またはノッチラインまで延びる。折りたたみ線またはノッチラインで挿入体のベース領域は略９５から１２５°の角度により折りたたまれ、従ってそのとき挿入体は斜め下向きに延び、容器部のベース壁上に載る。
【００１０】
周壁領域は、周壁領域の高さと周壁領域により覆われていない後部蓋周壁の高さの合計が箱の高さに匹敵するかまたはわずかに小さくなるように後部蓋周壁に固定される。この方式で、閉じられた箱の折りたたみ線またはノッチラインが後部容器部周壁と容器部ベース壁との間の線に対して最大可能範囲で正確に載ることが達成される。従ってベース壁上に直接載らない挿入体のベース領域のために周壁領域の圧縮がないばかりか箱の内側の縮小もない。周壁領域の高さは従って箱の全高より少なくともわずかに小さくなければならず、そうでなければ箱が閉じられるとき挿入体の周壁領域の圧縮が起こるであろう。一般的に、周壁領域の高さは箱の高さの略８０から９０％である。この方式で、一方では十分な表面積が周壁領域を後部蓋周壁の内側に連結するために利用可能とされ、他方では箱の内側の比較的著しい上昇が達成される。
【００１１】
後部蓋周壁の後部容器部周壁へのヒンジ連結は好ましくは箱の後部壁の中央で行われ、これは後部容器部周壁の高さが後部蓋周壁の高さに等しいことを意味する。二つの周壁の高さは異なることができる。しかし、後部容器部周壁の高さは少なくとも略０．３ｃｍまたは後部蓋周壁の高さの５分の１であるべきであり、そうでなければ包装内容物の上昇効果は十分な範囲でもはや達成されない。
【００１２】
容器部内に、箱は、箱を安定化し、また包装内容物の貯蔵を改善する役目をするカラーを持つことができる。慣例的箱と対照的に、このカラーは好ましくは前部及び左側及び右側の容器部周壁の内側にのみ設けられる。従ってカラーは好ましくは前部及び側部のカラー周壁を持つ。
【００１３】
カラーの寸法は好ましくは箱が閉じられるときそれが蓋壁まで延びるようなものであり、すなわちカラーは好ましくは容器部周壁を越えて蓋周壁の高さだけ突出する。これは閉じたかつ開いた位置での箱の最適安定化を、また箱内の包装内容物の良好な固定を導く。
【００１４】
カラーはまた、後部容器部周壁の内側に配置された後部カラー周壁を持つことができる。もしこれが存在するなら、あったとしてもそれは後部容器部周壁と同じ高さならまたはわずかに高いだけなら可能であり、そうでなければ挿入体の取り付けが不可能でありまたは困難を伴う。
【００１５】
箱はまた、前部カラー周壁上に突起を、及びこれに対応して、前部蓋周壁の内側に凹所を持つことができる。箱を閉じると、突起は対応凹所中に係合し、それにより箱の確実な閉鎖を導く。これを開くには、対応する凹所から突起を引き出すためにわずかな圧力が付与されねばならない。しかし、それは非常に楽に可能である。自明であるが、突起と凹所の位置は入れ替えることができ、またはそれらはカラーと蓋周壁上に設けられることができる。
【００１６】
代替形式によれば、箱の確実な閉鎖はまた、カラー上と蓋上の両方の（前部及び／または側部の）突起により達成されることができ、これらの突起は箱を閉じると、それらが互いを通り越して導かれ、箱が閉じられるとき互いの直ぐ背後に位置するように配置されかつそのような寸法をしており、従って確実な閉鎖を提供する。かすかなカチッと言う音を聞くことができ、それが箱が閉じられたことを使用者に知らせる。
【００１７】
前部蓋周壁及び／または側部蓋周壁はそれらの底縁に凹所を持つことができる。これらの凹所は例えば半円形または長い形で（例えば全前部蓋周壁に渡ってまたは側部蓋周壁の前方３分の１に渡って）設計されることができる。箱の容易な開放はこれらの凹所により実現される。なぜなら使用者は彼の指を凹所中に挿入でき、次いで蓋をより容易に指ではじいて開くことができるからである。この目的のために、凹所は好ましくは前部蓋周壁の中央に及び／または左側及び右側の蓋周壁の前方３分の１に設けられる。
【００１８】
この発明による箱は好ましくは包装内容物として、例えば紙巻たばこ、葉巻たばこまたは小型葉巻たばこのような喫煙可能物品を含む。これらは喫煙可能物品の一つまたは二つの群として、それ自体でまたはインナーライナー中に包まれて挿入体上に直接置かれることができる。
【００１９】
しかし、それらは好ましくは装填体または製品収容箱内に置かれる。これは別個にベース壁、後部及び前部壁及び側壁から形成され、固定されることなく挿入体上に置かれることができる。装填体または製品収容箱内に含まれた喫煙物品に消費者がより容易に接近できるようにするために、この箱は好ましくはその前部壁に例えば前部壁の上部３分の１にまたはその上部半分に渡って延びる凹所を持つ。この方式で例えばフィルター付き紙巻たばこのフィルターまたは紙巻たばこの上部半分が箱が開けられた後に使用者に見え、容易に接近可能となる。製品収容箱の中間に、壁またはウェブが設けられることができ、それにより内側が二つの別個の小部屋に分割される。二つの利点がこれにより達成される。第一に、箱がかなり空になったときでさえ製品収容箱に含まれた喫煙可能物品がこの壁またはウェブにより多少とも垂直に保たれ、従ってなお容易に取り出されることができ、これは特に長方形または正方形の外形を持つ箱の場合に有利である。加えて、製品収容箱の前部壁はこの壁またはウェブにより支持され、従って特に箱が大部分空になったときに前部壁の著しいへこみが多少とも避けられる。
【００２０】
開放後に紙巻たばこの箱からユーティリティ箱が落下するのを防ぐために、それはまた、フラップを介して前部カラー周壁の内側に、またはこれが存在しない場合は前部容器部周壁の内側に接着されることができる。
【００２１】
この発明による箱またはそれらの要素の蓋、容器部、挿入体及び任意のカラー及び／またはユーティリティ箱はどのような材料からも作られることができるが、全ての部品は好ましくは同じ材料から、好ましくは、紙、板紙または厚紙から作られ、またプラスチックまたは木材から作られることができる。
【００２２】
この発明による箱の寸法は慣例的には略２０から３０本の紙巻たばこが箱内に含まれることができるようなものである。側壁は従って略７から１０、好ましくは８から９ｃｍの長さである。箱の全高は略１．２から３ｃｍ（紙巻たばこの２から３層に対応して）であり、容器部及び蓋の周壁の高さは０．３から２．７ｃｍ、好ましくは０．６から１．５ｃｍであり、周壁の長さの高さに対する比は従って３３：１から２．５：１、好ましくは１５：１から６：１である。箱の基本的外形は慣例的には長方形である。容器部と蓋の周壁は一般的に同じ長さを持つ。カラー周壁はわずかに短く、従ってそれらは容器及び蓋周壁の内側に対して正確に載る。
【００２３】
箱を作るために、蓋と容器部は例えば紙または厚紙の単一のプレカットシートから折りたたまれることができる。木材から作られた箱のためには容器部と蓋周壁はプレハブ加工され、次いで一緒に接着されまたはねじ止めされることができる。プラスチック箱は例えば射出成形により製造されることができる。蓋と容器部間のヒンジ連結は両部を後部蓋周壁と後部容器部周壁との間に折りたたみ軸または回転軸を持つ紙または厚紙のプレカットシートのいずれかから作ることにより達成されることができる。もし蓋と容器部が二つの別個の部品であるなら、それらは例えば接着テープまたはヒンジを介して一緒に連結されることができる。もし別個の箱部が紙または厚紙から作られているなら、箱の全外側、従って蓋と容器部の全外面が薄い紙で覆われるのが好ましく、それはそのとき同時に蓋と容器部の連結を確実とする。所望により、カラー部はそのとき箱に接着されまたは押し込まれ、また挿入体は後部蓋周壁の内側に固定（例えば接着）される。製品収容箱は別個に例えばプレカットシートから作られ、任意に製品内容物で直接満たされ、挿入体上に置かれ、任意に前部カラー周壁の内側に接着され、またはそれがないなら、前部容器部周壁の内側に接着される。
【００２４】
この発明の一実施例が図面に示され、以下に詳細に説明される。
【００２５】
図１に容器部と蓋を持つ箱の上からの図が示され、
図２に挿入体と一緒の図１の箱が示され、
図３に線ＩＩＩ−ＩＩＩに沿った図１の箱の断面が示され、
図４に線ＩＶ−ＩＶに沿った図２の箱の断面が示され、
図５に追加的に製品収容箱を持つ図４による箱の断面が示され、
図６に製品収容箱を持たない開放された箱の上からの角度の図が示され、
図７に製品収容箱を持つ図６の箱の図が示されている。
【００２６】
図１は容器部２０とその前部２４、後部２８、右側２２及び左側２６の容器部周壁とを持ち、かつまた蓋３０とその前部３４、後部３８、右側３２及び左側３６の蓋周壁とを持つ箱１０を示す。またカラー５０を見ることができ、それは前部５４、右側５２及び左側５６のカラー周壁を持ち、またベース壁２１と蓋壁３１を見ることができる。
【００２７】
図２の箱１０は本質的に図１のそれに対応する。しかし、箱１０は追加的に挿入体４０を持つ。図２が示すように、挿入体４０は箱が開かれるときベース壁２１に渡って完全に延びない。しかし、もし箱が閉じられるなら、挿入体４０は前部カラー周壁５４の方向にかつそこまで同時に押され、そのときベース壁２１に渡って完全に延びる。
【００２８】
図３は切断面ＩＩＩ−ＩＩＩに沿った図１の箱１０を通した断面を示す。容器部と蓋周壁の高さが同じであることを見ることができる。しかし、カラー周壁の高さは容器部と蓋周壁の高さの２倍である。もし図３の箱１０が図３の矢印により示されるように閉じられると、カラー周壁は蓋壁３１まで延びるであろう。
【００２９】
次に図４は切断線ＩＶ−ＩＶに沿った図２の箱１０を通した断面を示す。挿入体４０がベース領域４２と周壁領域４４からなることを特に見ることができる。周壁領域は後部蓋周壁３８の内側に部分的に連結されている。挿入体４０の周壁領域４４の高さは箱の高さまたは左側カラー周壁５６の高さよりわずかに小さい。それにより、図３にまた図４に矢印で示されるように箱を閉じると、挿入体４０のベース領域４２と周壁領域４４との間の折りたたみ線４６はベース壁２１と後部容器部周壁２８との間の線２９に対して正確に載るであろう。従ってベース領域４２はまた、ベース壁２１上に直接位置することとなるであろう。従って箱の内側の全てが包装内容物のために利用可能となり、空間の不必要な損失がない。閉鎖運動時に挿入体４０のベース領域４２が前部カラー周壁５４の方向にかつそこまで動くであろうことも見ることができる。
【００３０】
図５の箱１０は図４の箱１０に対応するが、製品収容箱６０も示されており、その中に例えば紙巻たばこが置かれる。この製品収容箱６０は挿入体４０のベース領域４２に連結されることなくその上に載る。製品収容箱６０のベース壁に対してフラップ６２が設けられており、このフラップ６２は前部カラー周壁５４の内側に対置し、これに接着されている。フラップ６２は製品収容箱６０にその頂縁６３でのみ連結されている。この目的のため、例えば製品収容箱６０のベース壁の一部が切り抜かれ、フラップ６２を形成することができる。従ってこのフラップの効果は製品収容箱６０が前部カラー周壁５４を介して箱１０に連結されるが、他方で容器部２０内で自由に動くことができることである。箱１０を閉じると、挿入体４０のベース領域４２は再び前方カラー周壁５４の方向に移動し、同時にベース壁２１の方に下向きに動くであろう。製品収容箱６０はこの運動により容器部２０中に導入される。他方で、箱を開くとき、その逆の運動の結果として、製品収容箱６０は容器部２０から希望の方向に上昇され、これは箱の開放を通して自動的に起こる。開放運動時に、挿入体４０は蓋３０と共に前方に自動的に押され、上向きに引張られ、製品収容箱６０は上昇させられる。
【００３１】
図６は開放位置のこの発明による箱１０を示す。図６の箱１０は本質的に図２の箱１０に対応するが、異なる方向からの透視図である。容器部２０、蓋３０、挿入体４０及びカラー５０を再び見ることができる。
【００３２】
図７は図６の箱１０を示すが、これも製品収容箱６０を持ち、それは挿入体４０上に載る。紙巻たばこ６１は製品収容箱６０内に含まれている。
【００３３】
この発明による箱の更なる変更例において、それは容器部のベース壁に凹所、例えば後部容器部周壁近くの円形凹所を持つことができる。この凹所を通して、使用者は挿入体上に圧力を及ぼすことができ、それにより自動上昇工程を支持することができる。このために原則として挿入体は後部容器部周壁の内側に連結される必要がなく、むしろ挿入体は箱に連結されることなく容器部ベース壁上に置かれることができ、寸法に関して容器部ベース壁に適合されることができる。ベース壁はまた、完全に省くことができ、従ってインナーライナーに包まれた紙巻たばこ群が指の圧力によりベース壁の凹所を越えて上昇させられることができる。
【図面の簡単な説明】
【００３４】
【図１】図１は容器部と蓋を持つ箱の上からの図を示す。
【図２】図２は挿入体と一緒の図１の箱を示す。
【図３】図３は線ＩＩＩ−ＩＩＩに沿った図１の箱の断面を示す。
【図４】図４は線ＩＶ−ＩＶに沿った図２の箱の断面を示す。
【図５】図５は追加的に製品収容箱を持つ図４による箱の断面を示す。
【図６】図６は製品収容箱を持たない開放された箱の上からの角度の図を示す。
【図７】図７は製品収容箱を持つ図６の箱の図を示す。
【図１】
2004528051.tif 000003
【図２】
2004528051.tif 000004
【図３】
2004528051.tif 000005
【図４】
2004528051.tif 000006
【図５】
2004528051.tif 000007
【図６】
2004528051.tif 000008
【図７】
2004528051.tif 000009
【国際公開パンフレット】
2004528051.tif 000010
2004528051.tif 000011
2004528051.tif 000012
2004528051.tif 000013
2004528051.tif 000014
2004528051.tif 000015
2004528051.tif 000016
2004528051.tif 000017
2004528051.tif 000018
2004528051.tif 000019
2004528051.tif 000020
2004528051.tif 000021
2004528051.tif 000022
2004528051.tif 000023
2004528051.tif 000024
2004528051.tif 000025
2004528051.tif 000026
2004528051.tif 000027
2004528051.tif 000028
2004528051.tif 000029
2004528051.tif 000030
【国際調査報告】
2004528051.tif 000031
2004528051.tif 000032
2004528051.tif 000033
2004528051.tif 000034
2004528051.tif 000035
2004528051.tif 000036